(57)【要約】【課題】河川、池、湖沼またはダムの傾斜を有する法面を保護する護岸構造として使用しても、セル構造体のセル形状が維持でき、法面の保護機能を維持できる護岸構造を提供することを目的とする。【解決手段】樹脂からなる複数の帯部材３ｂを所定間隔毎に接合し、帯部材３ｂの非接合部位が互いに離間することによって形成される複数のセル３ａを有する略矩形状のセル構造体３と、前記複数のセル３ａに充填される石材６と、を備えたセル構造ユニット４を複数有する護岸構造であって、少なくとも一つのセル構造ユニット４は、セル構造体３を覆う略矩形の網状部材５と、該網状部材５及びセル構造体３の外周縁部３ｆを複数個所、連結する連結部材７と、を備える。【選択図】図３
2016079646.tif 000002
【特許請求の範囲】
【請求項１】
樹脂からなる複数の帯部材を所定間隔毎に接合し、前記帯部材の非接合部位が互いに離間することによって形成される複数のセルを有する略矩形状のセル構造体と、前記複数のセルに充填される充填物と、を備えたセル構造ユニットを複数有する護岸構造であって、少なくとも一つの前記セル構造ユニットは、前記セル構造体を覆う略矩形の網状部材と、該網状部材及び前記セル構造体の外周縁部を複数個所、連結する連結部材と、を備えることを特徴とする護岸構造。
【請求項２】
前記連結部材は、隣接する前記セル構造ユニットと隣接する前記網状部材とを一体に結合することを特徴とする請求項１に記載の護岸構造。
【請求項３】
前記隣接する網状部材は重なり部を有することを特徴とする請求項２に記載の護岸構造。
【請求項４】
前記網状部材の重なり部は、上流側に配置される網状部材が上になるように敷設されることを特徴とする請求項３に記載の護岸構造。
【発明の詳細な説明】
【技術分野】
【０００１】
本発明は、傾斜を有する河川、池、湖沼またはダムの法面を保護する護岸構造に関する。
【背景技術】
【０００２】
従来、河川、池、湖沼またはダムの法面を保護する護岸構造として、樹脂からなる複数の帯部材を所定間隔毎に接合し、前記帯部材の非接合部位が互いに離間することによって形成される複数のセルを有するセル構造体と、前記複数のセルに充填される石材と、を備えるセル構造体ユニットを法面に複数敷設されるものが知られている。（例えば、特許文献１参照）。
【先行技術文献】
【特許文献】
【０００３】
【特許文献１】特開２０１３−２１７０５２号公報（第５、６頁、図１−図３）
【発明の概要】
【発明が解決しようとする課題】
【０００４】
しかしながら、特許文献１の護岸構造においては、セル構造体のセルは、樹脂からなる複数の帯部材を所定間隔毎に接合し、前記帯部材の非接合部位を互いに離間させて形成されるもので、前記帯部材の非接合部位の離間度合いでセルの形状を自由に変えることができる。一方、セル構造体のセルに充填される充填材も、砂、砕石、現場発生土等であるため、充填材もセル内で自由に動くことができる。たとえば、特許文献１の護岸構造は、河床勾配が１／２００程度（段落００２６）と非常に緩やかなので問題ないが、比較的急な勾配を有する法面を保護する護岸構造として使用する場合には、法面の傾斜の影響や流水及び流下物等の外力により、セル構造体のセルの形状を維持できず、法面の保護機能を維持できないという問題があった。
【０００５】
本発明は、このような問題点に着目してなされたもので、傾斜を有する河川、池、湖沼またはダムの法面を保護する護岸構造として使用しても、セル構造体のセル形状が維持でき、法面の保護機能を維持できる護岸構造を提供することを目的とする。
【課題を解決するための手段】
【０００６】
前記課題を解決するために、本発明の護岸構造は、
樹脂からなる複数の帯部材を所定間隔毎に接合し、前記帯部材の非接合部位が互いに離間することによって形成される複数のセルを有する略矩形状のセル構造体と、前記複数のセルに充填される充填物と、を備えたセル構造ユニットを複数有する護岸構造であって、少なくとも一つの前記セル構造ユニットは、前記セル構造体を覆う略矩形の網状部材と、該網状部材及び前記セル構造体の外周縁部を複数個所、連結する連結部材と、を備えることを特徴としている。
この特徴によれば、セル構造体の外周縁部と、網状部材と、を連結部材によって複数個所、一体に連結するので、セル構造体ユニットに作用する外力を網状部材が分担してセルの形状変化を抑えることができ、法面の保護機能を維持できる。
【０００７】
本発明の護岸構造は、
前記連結部材は、隣接する前記セル構造ユニットと隣接する前記網状部材とを一体に結合することを特徴としている。
この特徴によれば、連結部材は、隣接する前記セル構造ユニットと隣接する前記網状部材を一体に結合するので、連結部の剛性を高めることができ、セル形状を維持できる。
【０００８】
本発明の護岸構造は、
前記隣接する網状部材は重なり部を有することを特徴としている。
この特徴によれば、隣接する網状部材は重なり部を連結するので、連結部の剛性をさらに高めることができ、セル形状を維持できる。
【０００９】
本発明の護岸構造は、
前記網状部材の重なり部は、上流側に配置される網状部材が上になるように敷設されることを特徴としている。
この特徴によれば、網状部材の重なり部は、上流側に配置される網状部材が上になるように敷設されるので、流れから受ける力を軽減でき、損傷を防止することができる。
【図面の簡単な説明】
【００１０】
【図１】本発明に係る護岸構造の構成を示す断面図である。
【図２】本発明に係る護岸構造の構成を示す斜視図である。
【図３】セル構造体を示す斜視図である。
【図４】セル構造体と網状部材との連結を示す図である。
【図５】セル構造体の貫通孔の拡大断面図である。
【発明を実施するための形態】
【００１１】
本発明に係る護岸構造を実施するための形態を図１から図５を参照して説明する。
【００１２】
図１及び図２に示されるように、護岸構造１は、複数のセル３ａを有する略矩形状のセル構造体３と、該複数のセル３ａに充填される充填物としての石材６と、網状部材５と、連結部材７を備え、セル構造体３を法面２に敷設し、該セル構造体３のセル３ａに石材６を充填して構成されるセル構造体ユニット４を法面２に複数敷設して構築される。さらに、セル構造体ユニット４は、該セル構造体ユニットを覆う略矩形の網状部材５と、該網状部材５とセル構造体外周縁部３ｆとを複数個所、連結する連結部材７を備えている。以下、護岸構造１を構成するセル構造体３、石材６と、網状部材５と、連結部材７について説明する。
【００１３】
図２に示すように、セル構造体３は、耐候性、耐水性、耐久性に優れ、可撓性を有する高密度ポリエチレン等の合成樹脂で形成された複数枚の略帯状をなす帯部材３ｂにより構成されている。これらの帯部材３ｂがその幅方向が垂直を向くように配置されており、互いに帯部材３ｂが積層配置された状態で、その長手方向の所定間隔毎に接合されている。この接合部位は、圧力を加えながら溶着（若しくは圧着）された接合部３ｃとなっている。
【００１４】
セル構造体３を前後方向に広げると、帯部材３ｂ同士の非接合部位が互いに離間されることで充填物としての石材６を拘束するセル３ａが形成される。そして、このセル３ａは、千鳥状またはハニカム状に配置され、このセル３ａ内に、石材６が充填される（図２、図３参照）。
【００１５】
図２に示されるように、このセル構造体３の帯部材３ｂには、複数の小さな貫通孔３ｄが形成されており、互いのセル３ａが貫通孔３ｄにより連通される。施工後、所定期間経過すると、セル３ａに充填される石材６の間には土砂１１が堆積し、植物が生息するようになる。成長した植物の根１２は、セル構造体３の貫通孔３ｄに入り込み（図５参照）、セル構造体３に絡みつくようになり、充填物とセル構造体３とが一体化し、時間の経過とともに法面の保護機能を強化できる。さらに、セル構造体３は、可撓性を有するので巻回してコンパクトにまとめた状態で搬送できるとともに、施工現場の状況に適した長さに切断することもできる。
【００１６】
セル構造体３のセル３ａに充填される石材６は、砕石または玉石等の自然石、コンクリート塊、または自然石とコンクリート塊の混合物から構成される。セル構造体３のセル３ａに充填される石材６の平均粒径は、流速、法面の傾斜等の条件により決定される。また、該石材６を収納するセル３ａの面積、深さは、石材６の平均粒径に応じて、セル３ａが石材６を収納するのに支障のないように決定される。
【００１７】
網状部材５は、流水及び流下物等の外力に耐えるような線径（約３〜５ｍｍ程度）からなる金属線を網状に構成したものである。網状部材５は、石材６をセル３ａ内に充填したセル構造体３を被覆して、セル３ａの形状を保持する機能を有する。また、網状部材５の網目の大きさは、石材６の平均粒径よりも小さく形成されている。なお、金属線は、塗装、メッキ、合成樹脂による被覆あるいはステンレスを使用して、防錆されている。以下、網状部材５のセル形状を保持する機能について説明する。
【００１８】
セル構造体３は、樹脂からなる複数の帯部材３ｂを所定間隔毎に接合し、前記帯部材３ｂの非接合部位を互いに離間させて形成されるもので、前記帯部材３ｂの非接合部位の離間度合いでセル３ａの形状を自由に変えることができる。さらに、セル構造体３のセル３ａに充填される石材６は自由に動くことができる。そのため、河川、池、湖沼またはダム等の１：１．５程度の比較的急な勾配を有する法面を保護する護岸構造として使用する場合には、法面の傾斜の影響や流水及び流下物等の外力により、セル構造体３のセル３ａの形状が変化してしまうことがある。すなわち、セル構造体３のセル３ａは圧縮力を受けても、セル３ａ内の石材６同士が互いに接触して圧縮力を保持できるので、セル３ａの形状は安定して維持できる。しかし、セル３ａが大きな引張力を受けると、セル３ａの変形により、セル３ａ内の石材６の間に隙間が生じて、石材６が動いてしまいセル３ａの形状は保持できなくなる。最悪の場合は、セル構造体３のめくれが生じてしまう虞がある。
【００１９】
そこで、本発明の護岸構造１は、セル３ａの形状を安定して保持できるように、石材６を充填したセル構造ユニット４と網状部材５とを連結部材７によって一体に連結している。網状部材５は、矩形形状に展開された状態では、網状部材５の線材同士が互いかみ合い、網状部材５全体で引張り外力を保持可能な構造体として機能する。そして、法面の勾配の影響や流水及び流下物等の外力により、セル構造体３が引張力を受けても、網状部材５が引張外力を分担して、セル３ａの形状変化を抑えることができる。
【００２０】
ここで、セル構造体３と、石材６と、網状部材５と、連結部材７を備える本発明に係る護岸構造１の構成について図３に基づいて説明する。なお、図３には、説明のため護岸構造１の設置工程Ａ、Ｂ、Ｃが同時に連続して進行するように記載しているが、これに限らず、法面全体の工程Ａ終了後に工程Ｂを行い、工程Ｂが終了後に工程Ｃを行うようにしてもよい。
【００２１】
図３の工程Ａでは、法面２の凹凸を整形し、法面２にセル構造体３を支持するためのアンカー８（図１参照）を所定本数打設する。アンカー８の本数は、法面２に配置される石材６等が法面２を滑落する荷重を保持できるように決定される。
【００２２】
つぎに、図３の工程Ｂでは、打設されたアンカー８にセル構造体３を固定して、法面の傾斜に沿ってセル構造体３を展開する。セル構造体３は法面の面積応じて、複数個、敷設される。そして、必要に応じて、敷設されたセル構造体３にアンカー８を追加、固定し、隣接するセル構造体３を専用の金具またはステープラー等で固定する。続いて、セル構造体３のセル３ａ内に石材６を充填する。なお、石材６は、セル３ａのセル上端まで充填し、石材６の一部が網状部材５により押えられるようにするのが好ましい。
【００２３】
さらに、図３の工程Ｃでは、石材６を充填したセル構造体３を網状部材５によって被覆し、セル構造体３と網状部材５とを連結部材７によって連結して、セル構造体ユニット４を完成する。ここで、連結部材７によるセル構造体３と網状部材５との連結について説明する。
【００２４】
図４（ａ）に示されるように、セル構造体３のセル構造体外周縁部３ｆと、網状部材５の網状部材外周縁部５ａとの位置が略一致する場合には、セル構造体外周縁部３ｆと網状部材外周縁部５ａとを連結部材７により連結して、セル構造体ユニット４を構成することができる。このように構成することで、網状部材５全体がセル構造体３のセル構造体外周縁部３ｆを支持するので、セル構造体３が引張力を受けても、網状部材５全体が引張外力を分担して保持するので、セル３ａの変形を抑えることができ、石材６の動きを防ぐことができる。なお、引張外力によるセル３ａの形状変化を抑える目的あれば、少なくともセル構造体外周縁部３ｆと網状部材外周縁部５ａとを複数個所、連結部材によって固定すればよいが、さらに、セル構造体外周縁部３ｆの内側部と網状部材外周縁部５ａの内側部も複数個所、固定することにより、引張外力によるセル３ａの形状変化を確実に抑えることができる。ここで、セル構造体外周縁部３ｆは、セル構造体３の外周縁部に位置するセル３ａが存在する領域を示す。なお、連結部材７は、さびにくく、耐食性の高い金属線、ステンレス線を使用することができる。
【００２５】
また、図４（ｂ）に示されるように、隣接して配置される複数のセル構造体３のセル構造体外周縁部３ｆと、隣接する網状部材外周縁部５ａとが略一致して配置される場合には、隣接するセル構造体外周縁部３ｆと隣接する網状部材外周縁部５ａとを連結部材７により一体に連結する。このように隣接するセル構造体外周縁部３ｆの位置と隣接する網状部材外周縁部５ａの位置が一致していても、セル構造体外周縁部３ｆと網状部材外周縁部５ａとを連結部材により一体に連結することで、連結部の剛性が増すので引張外力によるセル３ａの形状変化を確実に抑えることができる。
【００２６】
また、図４（ｃ）に示されるように、隣接する網状部材５に重なり部５ｂを設け、該重なり部５ｂと隣接するセル構造体外周縁部３ｆを固定すれば、さらに連結部の剛性を増すことができ、引張外力によるセル構造体３の変形をさらに抑えることができる。
【００２７】
さらに、図４（ｃ）に示されるように、隣接する網状部材５に重なり部５ｂを設ける場合には、流水の上流側に配置される網状部材５が上になるように配置する。このようにすることで、網状部材５は流水からの力を受けてもめくれ上がることなく、流水から受ける力を軽減できる。
【００２８】
以上、本発明の実施例を図面により説明してきたが、具体的な構成はこれら実施例に限られるものではなく、本発明の要旨を逸脱しない範囲における変更や追加があっても本発明に含まれる。
【００２９】
たとえば、前記実施例では、充填物として石材６を使用していたが、これに限らず、充填物として石材と土砂の混合物を使用してもよい。セル３ａ内に石材と土砂の混合物を充填することで、植物の自生を促し、護岸構造１を緑化することができる。さらに、植物の石材と土砂の混合物に植物の種子を蒔けば、早期に護岸構造１を緑化することができる。
【００３０】
また、上記実施例においては、網状部材５、連結部材７は耐食性の高い金属線を用いているが、これに限らず、耐水性、耐候性、機械的強度の高い合成樹脂、繊維強化プラスチックを用いてもよい。
【符号の説明】
【００３１】
１                護岸構造
２                法面
３                セル構造体
３ａ              セル
３ｂ              帯部材
３ｃ              接合部
３ｆ              セル構造体外周縁部
４                セル構造ユニット
５                網状部材
５ａ              網状部材外周縁部
６                石材（充填物）
７                連結部材
８                アンカー
【図１】
2016079646.tif 000003
【図２】
2016079646.tif 000004
【図３】
2016079646.tif 000005
【図４】
2016079646.tif 000006
【図５】
2016079646.tif 000007